(57)【要約】【課題】材料コストと加工コストの両方を低減して安価に多量生産できる覆い枠と栽培装置とする。【解決手段】ミョウガの栽培ベッド１の上方をカバーする覆い枠２は、栽培ベッド１の長手方向に並べて配置されて、栽培ベッド１の幅方向両側に垂直姿勢に配置してなる垂直パイプ８と、栽培ベッド１の両側の対向位置に配置している一対の垂直パイプ８に両端を挿入して連結してなる可撓性のアーチロッド９とを備える。【選択図】図１
2018186788.tif 000002
【特許請求の範囲】
【請求項１】
ミョウガを植え付けする栽培ベッドに所定の間隔で配置されて、前記栽培ベッドの上方をカバーするミョウガ栽培装置用の覆い枠であって、
前記栽培ベッドの長手方向に所定の間隔で配置されて、前記栽培ベッドの幅方向両側に垂直姿勢に配置してなる垂直パイプと、
前記栽培ベッドの幅方向両側の対向位置に配置してなる一対の垂直パイプに両端を挿入して連結してなる可撓性のアーチロッドとを備え、
前記アーチロッドとその両側に連結してなる一対の前記垂直パイプでもって前記栽培ベッドに所定の間隔でアーチ状の枠を設けるようにしてなることを特徴とするミョウガ栽培装置用の覆い枠。
【請求項２】
請求項１に記載されるミョウガ栽培装置用の覆い枠であって、
前記アーチロッドの中央部に垂直姿勢に連結してなる連結具と、
前記連結具に下端を挿入して垂直姿勢に配置してなる支柱とを備えることを特徴とするミョウガ栽培装置用の覆い枠。
【請求項３】
請求項２に記載されるミョウガ栽培装置用の覆い枠であって、
前記連結具が連結パイプで、前記連結パイプが、前記アーチロッドを直径方向に貫通する連結穴を下端に設けてなることを特徴とするミョウガ栽培装置用の覆い枠。
【請求項４】
請求項２に記載されるミョウガ栽培装置用の覆い枠であって、
前記連結具が、
連結パイプと、前記連結パイプの下端に固定してなる溝形金具と、前記溝形金具に連結される固定具とからなり、
前記溝形金具は、前記連結パイプの下端に固定してなる固定片の両側に対向壁を設けてなるコ字状であって、前記対向壁の間に前記アーチロッドを案内する溝部を設けており、
前記対向壁は溝部に案内するアーチロッドの下方に位置する対向位置に、前記固定部を挿入する連結穴を設けており、
前記溝形金具の溝部に前記アーチロッドが案内される状態で、前記固定具が対向壁に連結されて、前記連結パイプが前記アーチロッドに連結されるようにしてなるミョウガ栽培装置用の覆い枠。
【請求項５】
請求項１ないし４のいずれかに記載されるミョウガ栽培装置用の覆い枠であって、
前記アーチロッドに前記栽培ベッドに養液を供給する養液パイプを連結してなることを特徴とするミョウガ栽培装置用の覆い枠。
【請求項６】
請求項１ないし５のいずれかに記載されるミョウガ栽培装置用の覆い枠であって、
前記垂直パイプに挿入されて、前記垂直パイプを垂直姿勢に配置するネジ棒と、
前記ネジ棒に挿入される貫通穴を両端部に有する水平ロッドと、
前記ネジ棒にねじ込まれて、前記貫通穴をネジ棒に挿入してなる前記水平ロッドを上下で挟んで前記ネジ棒の所定の位置に前記水平ロッドを垂直姿勢に配置するダブルナットとを備え、
前記垂直パイプが前記ナットを下端のストッパとして、前記ネジ棒に挿入されて垂直姿勢に配置されてなることを特徴とするミョウガ栽培装置用の覆い枠。
【請求項７】
請求項１ないし６のいずれかに記載されるミョウガ栽培装置用の覆い枠であって、
前記アーチロッドが可撓性のプラスチックパイプであるミョウガ栽培装置用の覆い枠。
【請求項８】
ミョウガを植え付けする栽培ベッドと、
前記栽培ベッドの長手方向に所定の間隔で配置されて、前記栽培ベッドの上方をカバーする複数の覆い枠とを備えるミョウガ栽培装置であって、
前記覆い枠が、
前記栽培ベッドの長手方向に所定の間隔に配置されて、前記栽培ベッドの幅方向両側に垂直姿勢に配置されてなる垂直パイプと、
前記栽培ベッドの幅方向両側の対向位置に配置してなる一対の垂直パイプに両端を挿入して連結してなる可撓性のアーチロッドとを備え、
前記アーチロッドの両端部を前記水平ロッドに連結してなるアーチ状の前記覆い枠が前記栽培ベッドの長手方向に所定の間隔で配置されてなることを特徴とするミョウガ栽培装置。
【請求項９】
請求項８に記載されるミョウガ栽培装置であって、
前記覆い枠が、
前記アーチロッドの中央部に垂直姿勢に連結してなる連結パイプと、
前記連結パイプに下端を挿入して垂直姿勢に配置されてなる支柱とを備えることを特徴とするミョウガ栽培装置。
【請求項１０】
請求項８又は９に記載されるミョウガ栽培装置であって、
前記アーチロッドに、栽培ベッドに養液を供給する養液パイプが連結されてなることを特徴とするミョウガ栽培装置。
【発明の詳細な説明】
【技術分野】
【０００１】
本発明は、ミョウガの養液栽培に使用される栽培ベッドの覆い枠と、この覆い枠を使用する栽培装置に関する。
【背景技術】
【０００２】
ミョウガの養液栽培装置は開発されている。（特許文献１参照）
従来から使用されているミョウガの養液栽培装置の横断面図を図６に示す。この図に示す栽培装置は、栽培ベッド９１にアーチ状の覆い枠９２を設けている。栽培ベッド９１は、ミョウガを植え付けする培地９３を栽培トレイ９４の内側に載せている。栽培トレイ９４は、覆い枠９２に連結している水平ロッド９５の上に水平姿勢に配置される。水平ロッド９５は、両端を覆い枠９２に連結して水平に配置される。この栽培ベッド９１は、水平ロッド９５に栽培トレイ９４を、栽培トレイ９４に培地９３を載せて、培地９３には養液を供給してミョウガを栽培する。
【０００３】
覆い枠９２は、栽培ベッド９１の両側に垂直姿勢に配置される垂直脚部９２Ａと、両側の垂直脚部９２Ａを連結しているアーチ部９２Ｂとからなる。アーチ部９２Ｂは表面に雄ネジを設けて、ここにダブルナット９６をねじ込んで水平ロッド９５を連結している。ダブルナット９６は、垂直脚部９２Ａに挿入している水平ロッド９５を上下で挟んで水平姿勢に配置する。
【先行技術文献】
【特許文献】
【０００４】
【特許文献１】特開２００９−２２５７７４号公報
【発明の概要】
【発明が解決しようとする課題】
【０００５】
図６に示すミョウガ栽培装置は、栽培トレイ９４の長手方向に一定の間隔で覆い枠９２を設けている。覆い枠９２にシート９７を被せてミョウガを栽培する。覆い枠９２は一定の間隔で設けられるので、多数の覆い枠９２を使用する必要がある。覆い枠９２は、金属パイプを特定のアーチ状に曲げ加工して製作するので、材料コストと加工コストが高くなって安価に多量生産できない。ミョウガ栽培装置は、材料コストの高い覆い枠９２を多量に使用するので、設備コストが高くなる欠点がある。農作物は、工業製品に比較して販売コストが安く、採算性を実現するためには設備コストを低減することが極めて大切である。
【０００６】
本発明は、従来の覆い枠の欠点を解消することを目的とて開発されたもので、本発明の目的は、材料コストと加工コストの両方を低減して、安価に多量生産できる覆い枠と、この覆い枠を使用するミョウガ栽培装置を提供することにある。
【課題を解決するための手段及び発明の効果】
【０００７】
本発明のミョウガ栽培装置用の覆い枠２は、ミョウガを植え付けする栽培ベッド１に所定の間隔で配置されて、栽培ベッド１の上方をカバーする。覆い枠２は、栽培ベッド１の長手方向に所定の間隔で配置されて、栽培ベッド１の幅方向両側に垂直姿勢に配置してなる垂直パイプ８と、栽培ベッド１の幅方向両側の対向位置に配置している一対の垂直パイプ８に両端を挿入して連結している可撓性のアーチロッド９とを備える。覆い枠２は、アーチロッド９とその両側に連結している一対の垂直パイプ８とで栽培ベッド１に所定の間隔でアーチ状の枠を設ける。
【０００８】
以上の覆い枠は、材料コストと加工コストの両方を低減して、安価に多量生産できる特徴がある。それは、覆い枠を垂直パイプとアーチロッドで構成し、垂直パイプはパイプを切断して製作し、アーチロッドは可撓性の線材を切断して製作できるからである。
【０００９】
本発明のある態様にかかるミョウガ栽培装置用の覆い枠２は、アーチロッド９に連結具２２を介して支柱１１を連結する構造とすることができ、さらに連結具２２を連結パイプ１０として、連結パイプ１０には、アーチロッド９を直径方向に貫通する連結穴１０Ａを下端に設ける構造とすることができる。
【００１０】
以上の覆い枠は、連結具を介してアーチロッドに支柱を連結することができ、さらに、連結具を連結パイプとして、支柱をアーチロッドに簡単に連結できる特徴がある。また、連結パイプをアーチロッドに沿って移動することで、支柱の連結位置をアーチロッドに沿って移動して、最適位置に調整できる特徴も実現する。さらに連結パイプを簡単な構造として、連結パイプの材料コストと加工コストを低減して、連結パイプを安価に多量生産できる特徴も実現する。
【００１１】
本発明のある態様にかかるミョウガ栽培装置用の覆い枠は、連結具２２を、連結パイプ１０と、連結パイプ１０の下端に固定している溝形金具２３と、この溝形金具２３に連結する固定具２６とで構成し、溝形金具２３は、連結パイプ１０の下端に固定してなる固定片の両側に対向壁２３Ａを設けているコ字状として、対向壁２３Ａの間にアーチロッド９を案内する溝部を設ける形状とし、対向壁２３Ａは溝部に案内するアーチロッド９の下方に位置する対向位置に、固定部２６を挿入する連結穴２３ａを設け、溝形金具２３の溝部にアーチロッド９を案内する状態で、固定具２６を対向壁２３Ａに連結して、連結パイプ１０をアーチロッド９に抜けないように連結する構造とすることができる。この覆い枠は、両端を垂直ロッドに挿入しているアーチロッドに連結パイプを連結できるので、アーチロッドの組み立てと連結パイプの連結を能率よくできる特徴がある。
【００１２】
本発明のミョウガ栽培装置用の覆い枠２は、栽培ベッド１に養液を供給する養液パイプ１２をアーチロッド９に連結する構造として、アーチロッド９を介して養液パイプ１２を最適位置に配置できる。
【００１３】
本発明のミョウガ栽培装置用の覆い枠２は、垂直パイプ８に挿入されて、垂直パイプ８を垂直姿勢に配置するネジ棒１３と、ネジ棒１３に挿入される貫通穴を両端部に有する水平ロッド５と、ネジ棒１３にねじ込まれて、貫通穴をネジ棒１３に挿入してなる水平ロッド５を上下で挟んでネジ棒１３の所定の位置に水平ロッド５を垂直姿勢に配置するダブルナット６とを備える構造として、垂直パイプ８がナットを下端のストッパとして、ネジ棒１３に挿入されて垂直姿勢に配置することができる。
【００１４】
以上の覆い枠２は、栽培ベッド１を水平姿勢に配置する水平ロッド５とネジ棒１３に垂直パイプ８を連結して、栽培ベッド１をカバーする位置に配置できる特徴がある。
【００１５】
本発明のミョウガ栽培装置用の覆い枠２は、アーチロッド９を可撓性のプラスチックパイプとすることができる。
【００１６】
また、本発明のミョウガ栽培装置は、ミョウガを植え付けする栽培ベッド１と、栽培ベッド１の長手方向に所定の間隔で配置されて、栽培ベッド１の上方をカバーする複数の覆い枠２とを備え、覆い枠２は、栽培ベッド１の長手方向に所定の間隔に配置されて、栽培ベッド１の幅方向両側に垂直姿勢に配置されてなる垂直パイプ８と、栽培ベッド１の幅方向両側の対向位置に配置してなる一対の垂直パイプ８に両端を挿入して連結してなる可撓性のアーチロッド９とを備え、アーチロッド９の両端部を水平ロッド５に連結してなるアーチ状の覆い枠２を栽培ベッド１の長手方向に所定の間隔で配置している。
【００１７】
以上のミョウガ栽培装置は、多量に使用する覆い枠を安価に多量生産して材料コストを低減して、製造コストを相当に低減できる特徴がある。覆い枠を安価に多量生産できるのは、垂直パイプとアーチロッドで構成して、垂直パイプはパイプを切断して製作し、アーチロッドは可撓性の線材を切断して製作できるからである。
【００１８】
本発明のある態様にかかるミョウガ栽培装置は、覆い枠２を、アーチロッド９の中央部に垂直姿勢に連結してなる連結具２２と、連結具２２を介してアーチロッド９に垂直姿勢に配置されてなる支柱１１とを備える構造とすることができる。
【００１９】
本発明のある態様にかかるミョウガ栽培装置は、アーチロッド９に、栽培ベッド１に養液を供給する養液パイプ１２を連結することができる。
【図面の簡単な説明】
【００２０】
【図１】本発明の実施例にかかるミョウガ栽培装置の横断面図である。
【図２】図１に示すミョウガ栽培装置の斜視図である。
【図３】支柱をアーチロッドに連結する連結具を示す斜視図である。
【図４】支柱をアーチロッドに連結する他の連結具を示す斜視図である。
【図５】支柱をアーチロッドに連結する他の連結具を示すシ斜視図である。
【図６】従来のミョウガ栽培装置の覆い枠を示す断面図である。
【発明を実施するための形態】
【００２１】
以下、本発明の実施例を図面に基づいて説明する。ただし、以下に示す実施例は、本発明の技術思想を具体化するための覆い枠とミョウガ栽培装置を例示するものであって、本発明は覆い枠とミョウガ栽培装置を以下のものに特定しない。さらに、この明細書は、特許請求の範囲に示される部材を、実施例の部材に特定するものでは決してない。
【００２２】
図１の横断面図と図２の斜視図は、ミョウガ栽培装置を示す。これ等の図に示すミョウガ栽培装置は、栽培ベッド１と、この栽培ベッド１の長手方向に所定の間隔で配置している覆い枠２とを備える。
【００２３】
栽培ベッド１は、ミョウガを植え付けて生育させる培地３と、この培地３を上に載せる栽培トレイ４とを備える。栽培トレイ４は、水平ロッド５の上に水平姿勢に載せられる。水平ロッド５は、両端を覆い枠２に連結して水平姿勢に配置される。栽培トレイ４は、培地３が載せられ、この培地３に養液を供給してミョウガを栽培する。
【００２４】
図１の栽培ベッド１は、培地３の下に配置されて、培地３に植え付けされるミョウガの根が通過するのを阻止して水を通過させる根切りシート１４と、この根切りシート１４の下に配置されて培地３に水を供給する保水シート１５と、この保水シート１５の下に配置される下地フィルム１６とを、培地３と栽培トレイ４との間に積算して配置している。この栽培ベッド１は、培地３に養液を供給して培地３でミョウガを栽培する。
【００２５】
培地３は、供給される水分を保水する保水性と、過剰な水分を排水する排水性とが要求される。図の培地３は、所定の厚さのマット状で、根切りシート１４の上に載せている。培地３は、ミョウガの生育に最適なものが選択され、たとえば、ヤシガラやバーク等の有機物をプレスして、所定の厚さのマット状に固化したものが使用される。
【００２６】
栽培トレイ４は、図１に示すように、底面の両側縁に沿って上方に突出する一対の側壁１７を設けて、断面形状を溝形としている。この側壁１７は、栽培トレイ４の上に載せられる培地３や養液パイプ１２から供給される養液が、栽培トレイ４の外側にこぼれ落ちるのを防止する。したがって、側壁１７の高さは、培地３や養液が外にこぼれるのを防止できる高さに成形する。
【００２７】
さらに、図１の栽培トレイ４は、上面に３列の排水溝１９を設けている。この図の栽培トレイ４は、排水溝１９として、両側の側壁１７に沿って設けた一対の側溝１９Ａと、一対の側溝１９Ａの間に設けた中央溝１９Ｂを設けており、さらに、両側の側溝１９Ａと中央溝１９Ｂとを連結溝（図示せず）で連結している。
【００２８】
一対の側溝１９Ａは、一対の側壁１７の内側にあって、側壁１７に沿って設けている。側溝１９Ａは、栽培トレイ４の両端面まで延長して設けている。栽培トレイ４は、培地３を透過する排液をこの側溝１９Ａに案内し、この側溝１９Ａから栽培トレイ４の外部に排液として排水する。
【００２９】
栽培ベッド１は、栽培トレイ４の上に非透水シートの下地フィルム１６を敷設している。下地フィルム１６は、上側に配設される培地３、根切りシート１４及び保水シート１５と、下側に配設される栽培トレイ４とを非透水状態に区画している。下地フィルム１６は非透水シートで、培地３を通過した排液がこれを透過して、栽培トレイ４まで浸透するのを防止している。下地フィルム１６は、栽培トレイ４の外形よりも大きく、両側の側壁１７の外側面まで延長して配設される。側壁１７と下地フィルム１６の間から排液が浸入するのを防止するためである。
【００３０】
下地フィルム１６は、栽培トレイ４の上面に沿う状態で敷設される。側溝１９Ａや中央溝１９Ｂに敷設される下地フィルム１６は、栽培トレイ４の内面に沿って敷設される。側溝１９Ａや中央溝１９Ｂの内面に沿って敷設される下地フィルム１６は、その内側に形成される溝内を排液が流れる。下地フィルム１６は、プラスチックフィルムからなる非透水シートである。
【００３１】
保水シート１５は、栽培トレイ４の上面に位置して、下地フィルム１６の上に敷設している。保水シート１５は、培地３と根切りシート１４を透過した排液を吸水して保水する。
【００３２】
根切りシート１４は、防根シートとも呼ばれるシートで、すでに市販されているものを使用する。根切りシート１４は、水を透過させて植物の根が成長して通過するのを阻止できる全てのシートを使用することができる。根切りシート１４は、培地３の下に積層されて、培地３に植え付けしている植物の根が通過するのを阻止する。
【００３３】
以上の栽培ベッド１は、水平ロッド５の上に水平に配置される。図１に示す水平ロッド５は、地面から上に離して配置している載せ台の作用をする。このように、水平ロッド５に載置される栽培ベッド１は、外部に排水される排液を自然に流下させて効率よく回収できる特長がある。
【００３４】
以上の栽培ベッド１は、養液供給装置（図示せず）から供給される養液が養液パイプ１２から散水されて、植物を植え付けている培地３に養液が供給される。栽培ベッド１は、定量の養液が連続供給され、あるいは、所定量の養液が所定の時間間隔で供給される。ミョウガに供給される養液は、培地３と根切りシート１４とを透過して、一部は保水シート１５に吸収され、残りは排液として側溝１９Ａに流入されて外部に排液として排水される。
【００３５】
覆い枠２を図２の斜視図に示す。この図の覆い枠２は、栽培ベッド１の長手方向に所定の間隔で配置される。この覆い枠２は、垂直パイプ８とアーチロッド９とを備え、垂直パイプ８は栽培ベッド１の幅方向両側に垂直姿勢に配置され、アーチロッド９は、栽培ベッド１の幅方向両側の対向位置に配置している一対の垂直パイプ８に両端を挿入して、アーチ状に湾曲される。
【００３６】
垂直パイプ８は、金属製パイプを切断して製作される。金属製の垂直パイプ８は耐久性があって長期間にわたって使用できる特徴がある。ただし、垂直パイプには硬質プラスチック製のパイプも使用できる。
【００３７】
垂直パイプ８は、内径を１０ｍｍ〜２０ｍｍとする金属パイプやプラスチックパイプである。垂直パイプ８は、下端部をネジ棒１３に挿入して垂直姿勢に配置され、上からアーチロッド９を挿入してアーチロッド９の両端部を垂直姿勢に配置してアーチ状に湾曲する。垂直パイプ８の全長は、アーチロッド９の端部を挿入して垂直姿勢に配置できるように、たとえば長さを１０ｃｍ〜３０ｃｍとする。
【００３８】
アーチロッド９は、アーチ状に湾曲できる可撓性のあるロッド、あるいは弾性的に湾曲できる弾性ロッドを切断して製作される。アーチロッド９は、両端部を垂直パイプ８に挿入し、全体をアーチ状に湾曲して、栽培ベッド１の上にアーチ状の枠を設ける長さ、例えば３００ｃｍ〜８００ｃｍである。アーチロッド９は、好ましくは、園芸用の棒材として市販している可撓性の硬質プラスチックロッドが適している。低コストで充分な強度があるからである。ただし、アーチロッド９は、両端部を垂直パイプ８に挿入して全体をアーチ状に湾曲できる金属製や硬質プラスチック製の他の全てのロッドや棒材が使用できる。アーチロッド９は、アーチ状に湾曲される状態で、充分な強度を実現するために、外径を５ｍｍ〜１５ｍｍとするロッドや棒材が使用される。
【００３９】
アーチロッド９は、栽培ベッド１の上方に配置されて、プラスチックフィルム等のシート７が被せられる。アーチロッド９に被せられるシート７は、栽培ベッド１に植え付けしているミョウガの一部を被覆する。さらに、図１のアーチロッド９は、上に向かって伸びるミョウガの茎を倒れないように支持する支柱１１を連結している。支柱１１は、連結具２２を介して下端をアーチロッド９に連結している。
【００４０】
図３は、連結具２２の連結パイプ１０を示し、連結具２２である連結パイプ１０をアーチロッド９に連結する状態を示す斜視図である。この図の連結パイプ１０は、アーチロッド９を直径方向に貫通する連結穴１０Ａを下端に設けている。連結パイプ１０は、連結穴１０Ａにアーチロッド９が挿入されて、アーチロッド９の中央部に上向きに連結される。支柱１１は、連結パイプ１０に挿入されて、アーチロッド９の中央部に連結される。
【００４１】
図４は他の連結具２２を示す斜視図である。この連結具２２は、連結パイプ１０の下端に、金属板をコ字状に折り曲げている溝形金具２３を溶接して固定している。溝形金具２３は、固定片の両側に対向壁２３Ａを設けているコ字状で、固定片を連結パイプ１０の下端面に溶接などの方法で固定している。さらに、両側の対向壁２３は下部の対向位置に連結穴２３ａを設けている。この連結具２２は、溝形金具２３の一対の対向壁２３Ａの間に形成された溝の内部にアーチロッド９の中央部を案内して、対向する連結穴２３ａに固定具２６を挿通して、溝形金具２３がアーチロッド９に連結される。連結パイプ１０は、溝形金具２３を介してアーチロッド９に連結される。この状態で、溝形金具２３の固定片がアーチロッド９に載せられて、連結パイプ１０はアーチロッド９の中央部に上向きに連結される。固定具２６は、一対の対向壁２３Ａの連結穴２３ａに挿通されて、溝形金具２３がアーチロッド９から外れるのを防止する。この連結具２２は、アーチロッド９の両端を垂直パイプ８に連結する状態で、溝形金具２３をアーチロッド９に連結できるので、連結具２３を簡単に能率よくアーチロッド９に連結できる特徴がある。固定具２６を連結しない状態で、溝形金具２３の溝内にアーチロッド９を案内して、溝形金具２３をアーチロッド９に連結できるからである。図４に示す固定具２６は、連結穴２３ａに挿通可能なボルト２６Ａと、このボルト２６Ａの先端に螺合されるナット２６Ｂとしている。ただ、固定具は、対向する連結穴に挿通されるピンと、このピンが連結穴から抜けるのを防止する留具とすることも、対向する連結穴に挿通されて、一対の対向壁を締結する線材とすることもできる。
【００４２】
連結具２２は、図５に示すように、弾性線材を曲げ加工している連結フック２４を介してアーチロッド９に連結することもできる。連結フック２４は、Ｕ曲部２４Ａに連結パイプ１０を案内し、両端をアーチロッド９に弾性的に係止して連結パイプ１０をアーチロッド９に連結する。図５に示す連結具２２は、支柱１１の下端に連結された連結パイプ１０に連結フック２４を介してアーチロッド９を連結しているが、この連結具２２は支柱１１に直接にアーチロッド９を連結することもできる。
【００４３】
下端をアーチロッド９に連結している支柱１１は、倒れないように農業用のハウスの梁などに連結される。支柱１１は、その上端部を、農業用のハウスの梁等の構造材に、連結材（図示せず）の紐体や針金などを介して連結されて、倒れないように配置される。
【００４４】
各々の覆い枠２に下端を連結している各々の支柱１１は、栽培ベッド１の長手方向に延びる同一垂直面内に配置される。各々の支柱１１は、図２に示すように、両側に水平方向に伸びる線材２５が張られる。支柱１１の両側に張られた一対の線材２５は、その間にミョウガの茎を案内して、ミョウガの茎を垂直姿勢に倒れないように支持する。線材２５は針金や紐材（図示せず）を介して支柱１１に結束して固定される。
【００４５】
さらに、図１のミョウガ栽培装置は、覆い枠２に養液パイプ１２を連結して、栽培ベッド１に養液を供給している。養液パイプ１２はアーチロッド９の中央部であってその下面に線材２７を介して連結されて、栽培ベッド１に植え付けているミョウガに養液を散水する。
【００４６】
覆い枠２は、垂直パイプ８の下端を直接に栽培ベッド１の両側に固定して、垂直姿勢に配置することもできるが、図２の覆い枠２は、ネジ棒１３を介して栽培ベッド１の両側に配置する。垂直姿勢のネジ棒１３に垂直パイプ８の下部を挿入して、垂直パイプ８は垂直姿勢に配置される。栽培ベッド１の両側に配置される一対のネジ棒１３は、下端に鍔２８を固定して、中間を水平ロッド５で連結している。
【００４７】
水平ロッド５は、両端部に貫通穴を設けている。貫通穴は水平ロッド５の直径方向に設けられて、ネジ棒１３が挿入される。貫通穴はネジ棒１３を挿通できる内径、すなわち、ネジ棒１３の外径よりも僅かに大きい。水平ロッド５は、貫通穴にネジ棒１３に挿入して、ネジ棒１３にねじ込まれたダブルナット６で上下から挟まれてネジ棒１３に固定される。ダブルナット６は上下位置を調整して水平ロッド５を水平姿勢に配置する。図１のミョウガ栽培装置は、水平ロッド５の上に直交する姿勢で、栽培ベッド１の長手方向に延びる複数の縦パイプ１８を載せ、縦パイプ１８に栽培ベッド１を載せている。水平ロッド５の上下位置は、栽培ベッド１を載せて水平姿勢に配置し、かつ栽培ベッド１に供給される養液を長手方向の一端部に流して排出するように一端部に向かって僅かに下り勾配に配置する。下端に鍔２８を設けて、中間に水平ロッド５を連結している一対のネジ棒１３は、栽培ベッド１の両側に自立し、養液パイプ１２に連結されて、さらに安定して倒れないように垂直姿勢に支持される。
【００４８】
図１と図２に示すミョウガ栽培装置は、以下の状態で組み立てられてミョウガを栽培する。
１．水平ロッド５の両端にネジ棒１３を挿通し、ネジ棒１３にダブルナット６をねじ込んで水平ロッド５をネジ棒１３の所定に位置に連結する。
２．連結パイプ１０の連結穴１０Ａにアーチロッド９を挿入して、アーチロッド９に支柱１１を連結する連結パイプ１０を連結する。
３．水平ロッド５の両端に連結しているネジ棒１３に垂直パイプ８を挿入し、連結パイプ１０を連結しているアーチロッド９の端部を垂直パイプ８に挿入して、直線状のアーチロッド９をアーチ状に湾曲して覆い枠２を組み立てる。
４．組み立てた覆い枠２を一定の間隔に並べて垂直姿勢に配置する。覆い枠２は、栽培ベッド１の長手方向に直交する面内にあって、栽培ベッド１の長手方向に一定の間隔で垂直姿勢に配置される。
５．覆い枠２の水平ロッド５に複数の縦パイプ１８を載せ、縦パイプ１８に栽培トレイ４を載せる。
６．栽培トレイ４に下地フィルム１６、保水シート１５、根切りシート１４、及び培地３を載せ、覆い枠２のアーチロッド９には養液パイプ１２を連結する。
７．培地３にミョウガを植え付けし、養液パイプ１２から培地３に養液を供給してミョウガを生育させる。
８．ミョウガの栽培時に、覆い枠２にシート７を被せて培地３を覆い、シート７で保温してミョウガを生育させる。
【産業上の利用可能性】
【００４９】
本発明のミョウガ栽培装置とこれに使用する覆い枠は、農業用のハウスに設置されてミョウガを養液栽培するのに有効に利用される。
【符号の説明】
【００５０】
１…栽培ベッド
２…覆い枠
３…培地
４…栽培トレイ
５…水平ロッド
６…ダブルナット
７…シート
８…垂直パイプ
９…アーチロッド
１０…連結パイプ
１０Ａ…連結穴
１１…支柱
１２…養液パイプ
１３…ネジ棒
１４…根切りシート
１５…保水シート
１６…下地フィルム
１７…側壁
１８…縦パイプ
１９…排水溝
１９Ａ…側溝
１９Ｂ…中央溝
２２…連結具
２３…溝形金具
２３Ａ…対向壁
２３ａ…連結穴
２４…連結フック
２４Ａ…Ｕ曲部
２５…線材
２６…固定具
２６Ａ…ボルト
２６Ｂ…ナット
２７…線材
２８…鍔
９１…栽培ベッド
９２…覆い枠
９２Ａ…垂直脚部
９２Ｂ…アーチ部
９３…培地
９４…栽培トレイ
９５…水平ロッド
９６…ダブルナット
９７…シート
【図１】
2018186788.tif 000003
【図２】
2018186788.tif 000004
【図３】
2018186788.tif 000005
【図４】
2018186788.tif 000006
【図５】
2018186788.tif 000007
【図６】
2018186788.tif 000008